(57)【要約】【課題】できるだけ多くのユーザの趣味趣向に合致させ、販売コストの低減化を図る。【解決手段】本発明のスマートフォンカバー販売システムは、スマートフォンカバーに印刷可能な複数のデザインコンテンツを一覧表示するデザインコンテンツ表示手段と、前記スマートフォンカバーに広告の掲載を希望する複数の広告主を一覧表示する広告主表示手段と、前記デザインコンテンツ表示手段により一覧表示された複数のデザインコンテンツの中から特定のデザインコンテンツが選択されると共に前記広告主表示手段により一覧表示された複数の広告主の中から特定の広告主が選択されると、前記特定のデザインコンテンツが印刷された前記スマートフォンカバーの実際の制作費から前記特定の広告主の広告掲載費を減算して前記スマートフォンカバーの販売額を算出する販売額算出手段と、が設けられていることを特徴とする。【選択図】図２
2013218528.tif 000002
【特許請求の範囲】
【請求項１】
インターネットに接続されたサーバを介してスマートフォンカバーを販売するためのスマートフォンカバー販売システムであって、該サーバには、
前記スマートフォンカバーに印刷可能な複数のデザインコンテンツを一覧表示するデザインコンテンツ表示手段と、
前記スマートフォンカバーに広告の掲載を希望する複数の広告主を一覧表示する広告主表示手段と、
前記デザインコンテンツ表示手段により一覧表示された複数のデザインコンテンツの中から特定のデザインコンテンツが選択されると共に前記広告主表示手段により一覧表示された複数の広告主の中から特定の広告主が選択されると、前記特定のデザインコンテンツが印刷された前記スマートフォンカバーの実際の制作費から前記特定の広告主の広告掲載費を減算して前記スマートフォンカバーの販売額を算出する販売額算出手段と、
が設けられていることを特徴とするスマートフォンカバー販売システム。
【請求項２】
前記広告主表示手段により一覧表示された複数の広告主の中から特定の広告主が選択されると、該特定の広告主の専用ウェブページを表示し、該専用ウェブページに該広告主の広告と前記スマートフォンカバーに掲載される広告のデザインを表示することを特徴とする請求項１に記載のスマートフォンカバー販売システム。
【請求項３】
前記販売額算出手段は、義援金の寄付が選択された場合に該義援金の額を加算して前記スマートフォンカバーの販売額を算出することを特徴とする請求項１又は２に記載のスマートフォンカバー販売システム。
【請求項４】
インターネットに接続されたサーバを介してスマートフォンカバーを販売するためのスマートフォンカバー販売プログラムであって、該サーバに、
前記スマートフォンカバーに印刷可能な複数のデザインコンテンツを一覧表示するステップと、
前記スマートフォンカバーに広告の掲載を希望する複数の広告主を一覧表示するステップと、
前記デザインコンテンツ表示手段により一覧表示された複数のデザインコンテンツの中から特定のデザインコンテンツが選択されると共に前記広告主表示手段により一覧表示された複数の広告主の中から特定の広告主が選択されると、前記特定のデザインコンテンツが印刷された前記スマートフォンカバーの実際の制作費から前記特定の広告主の広告の掲載費を減算して前記スマートフォンカバーの販売額を算出するステップと、
を実行させることを特徴とするスマートフォンカバー販売プログラム。
【請求項５】
前記覧表示された複数の広告主の中から特定の広告主が選択されると、該特定の広告主の専用ウェブページを表示し、該専用ウェブページに該広告主の広告と前記スマートフォンカバーに掲載される広告のデザインを表示するステップを前記サーバにさらに実行させることを特徴とする請求項４に記載のスマートフォンカバー販売プログラム。
【請求項６】
義援金の寄付が選択された場合には該義援金の額を加算して前記スマートフォンカバーの販売額を算出するステップを前記サーバにさらに実行させることを特徴とする請求項４又は５に記載のスマートフォンカバー販売プログラム。
【発明の詳細な説明】
【技術分野】
【０００１】
本発明は、インターネットに接続されたサーバを介してスマートフォンカバーを販売するためのスマートフォンカバー販売システム及びそのプログラムに関するものである。
【背景技術】
【０００２】
近年、携帯電話の中でスマートフォンが急速に普及してきており、そのスマートフォンの損傷や破損の防止や装飾を目的として、スマートフォンカバーやスマートフォンケース（以下、スマートフォンカバーとスマートフォンケースを総称して「スマートフォンカバー」と称す。）をスマートフォンに装着することが広く行われている。
【０００３】
従来、スマートフォンカバーには、キャラクタ等のデザインが予め印刷されたものがあり、この種のスマートフォンカバーは、工場で大量生産された後、販売店やウェブ上のネットショップ等において大量販売されている（例えば、非特許文献１参照）。
【０００４】
しかしながら、この販売システムでは、在庫を抱えるためそのコストが嵩むといった問題や、デザインの種類がある程度限定されてしまうため、多くのユーザの趣味趣向に合致させるのが難しいといった問題がある。
【０００５】
そこで、最近、ネットショップでは、この種の問題を解決するため、ウェブ上に掲載した複数のデザインの中からユーザに所望なデザインを選択させて注文させた後に、そのデザインをスマートフォンカバーに印刷して出荷するといった在庫を持たないオーダーメイド型の販売システムも行われている。（例えば、非特許文献２参照）。
【先行技術文献】
【非特許文献】
【０００６】
【非特許文献１】楽天市場ウェブサイト（http://search.rakuten.co.jp/）
【非特許文献２】ＫＤＤＩウェブサイト「トピックス＆インフォメーション」（http://www.kddi.com/news/topics/20120125.html）
【発明の概要】
【発明が解決しようとする課題】
【０００７】
しかしながら、上記した従来のオーダーメイド型のスマートフォンカバー販売システムでは、注文生産となるため、スマートフォンカバーの製造コストや販売コストが高くなるといった問題がある。
【０００８】
一方、現在、スマートフォンカバーに広告を印刷するといった発想は広告主である企業側やユーザ側にも存在していない。仮に企業側がスマートフォンカバーに広告を印刷したいと考えたとしても、一方的な押し付けがましい広告をユーザがわざわざ自分のスマートフォンカバーに付けたいと思うはずもない。
【０００９】
本発明は、上記した課題を解決すべくなされたものであり、できるだけ多くのユーザの趣味趣向に合致させると共に、販売コストの低減化を図ることのできるスマートフォンカバー販売システム及びそのプログラムを提供することを目的とするものである。
【課題を解決するための手段】
【００１０】
上記した目的を達成するため、本発明は、インターネットに接続されたサーバを介してスマートフォンカバーを販売するためのスマートフォンカバー販売システムであって、該サーバには、前記スマートフォンカバーに印刷可能な複数のデザインコンテンツを一覧表示するデザインコンテンツ表示手段と、前記スマートフォンカバーに広告の掲載を希望する複数の広告主を一覧表示する広告主表示手段と、前記デザインコンテンツ表示手段により一覧表示された複数のデザインコンテンツの中から特定のデザインコンテンツが選択されると共に前記広告主表示手段により一覧表示された複数の広告主の中から特定の広告主が選択されると、前記特定のデザインコンテンツが印刷された前記スマートフォンカバーの実際の制作費から前記特定の広告主の広告掲載費を減算して前記スマートフォンカバーの販売額を算出する販売額算出手段と、が設けられていることを特徴とする。
【００１１】
また、本発明に係るスマートフォンカバー販売システムにおいて、前記広告主表示手段により一覧表示された複数の広告主の中から特定の広告主が選択されると、該特定の広告主の専用ウェブページを表示し、該専用ウェブページに該広告主の広告と前記スマートフォンカバーに掲載される広告のデザインを表示することを特徴とする。
【００１２】
また、本発明に係るスマートフォンカバー販売システムにおいて、前記販売額算出手段は、義援金の寄付が選択された場合に該義援金の額を加算して前記スマートフォンカバーの販売額を算出してもよい。
【００１３】
また、本発明は、インターネットに接続されたサーバを介してスマートフォンカバーを販売するためのスマートフォンカバー販売プログラムであって、該サーバに、前記スマートフォンカバーに印刷可能な複数のデザインコンテンツを一覧表示するステップと、前記スマートフォンカバーに広告の掲載を希望する複数の広告主を一覧表示するステップと、前記デザインコンテンツ表示手段により一覧表示された複数のデザインコンテンツの中から特定のデザインコンテンツが選択されると共に前記広告主表示手段により一覧表示された複数の広告主の中から特定の広告主が選択されると、前記特定のデザインコンテンツが印刷された前記スマートフォンカバーの実際の制作費から前記特定の広告主の広告の掲載費を減算して前記スマートフォンカバーの販売額を算出するステップと、を実行させることを特徴とする。
【００１４】
また、本発明に係るスマートフォンカバー販売プログラムにおいて、前記覧表示された複数の広告主の中から特定の広告主が選択されると、該特定の広告主の専用ウェブページを表示し、該専用ウェブページに該広告主の広告と前記スマートフォンカバーに掲載される広告のデザインを表示するステップを前記サーバにさらに実行させることを特徴とする。
【００１５】
また、本発明に係るスマートフォンカバー販売プログラムにおいて、義援金の寄付が選択された場合には該義援金の額を加算して前記スマートフォンカバーの販売額を算出するステップを前記サーバにさらに実行させてもよい。
【発明の効果】
【００１６】
本発明によれば、できるだけ多くのユーザの趣味趣向に合致させると共に、販売コストの低減化を図ることができる等、種々の優れた効果を得ることができる。
【図面の簡単な説明】
【００１７】
【図１】本発明の実施の形態に係るスマートフォンカバー販売システムを含む全体システムを示す概略図である。
【図２】本発明の実施の形態に係るスマートフォンカバー販売システムによる販売方法を示す説明図である。
【発明を実施するための形態】
【００１８】
以下、図面を参照しつつ、本発明の実施の形態に係るスマートフォンカバー販売システムについて説明する。
【００１９】
図１に示されているように、スマートフォンカバーを購入する側の多数のユーザ端末１０と、前記スマートフォンカバーを販売する側のサーバ２０と、がインターネット３０を介して相互に接続されており、サーバ２０は、例えばＣＤ−ＲＯＭ等の記憶媒体を介してスマートフォンカバー販売プログラムをインストールすることによってスマートフォンカバー販売システムとして機能するようになっている。
【００２０】
サーバ２０には、制御部２１と記憶部２２が設けられ、制御部２１には、前記スマートフォンカバーに印刷可能な複数のデザインコンテンツを一覧表示するデザインコンテンツ表示部２３と、前記スマートフォンカバーに広告の掲載を希望する複数の広告主を一覧表示する広告主表示部２４と、デザインコンテンツ表示部２３により一覧表示された複数のデザインコンテンツの中から選択された特定のデザインコンテンツが印刷された前記スマートフォンカバーの販売額を算出する販売額算出部２５と、各種データやプログラムを格納する記憶部２２と、を備えて構成されている。
【００２１】
前記デザインコンテンツとしては、例えば、アニメやマンガのキャラクタ、芸能人やスポーツ選手の似顔絵等の著作権（版権）のあるコンテンツが考えられ、また、広告主としては、例えば、外食産業、スポーツ用品、ファッション系などの企業が考えられる。
次に、上記した構成を備えた本発明の実施の形態に係るスマートフォンカバー販売システムによるスマートフォンカバーの販売方法について説明する。
【００２２】
図２に示すように、ユーザ端末１０から所定の操作を行ってインターネット３０を介してサーバ２０にアクセスすると、制御部２１によって、ユーザ端末１０のディスプレイ上に、トップページ４０が表示される。このトップページ４０には、前記スマートフォンカバーに印刷可能なデザインコンテンツの種類として、例えば、広告付きカバー４１と広告無しカバー４２とが選択可能に表示されると共に、広告主一覧ボタン４３が選択可能に表示される。また、トップページ４０には、会員登録ボタン４４やログインボタン４５も選択可能に表示される。
【００２３】
ユーザ端末１０から、デザインコンテンツの種類として、例えば、広告付きカバー４１を選択してクリックすると、デザインコンテンツ表示部２３によって、ユーザ端末１０のディスプレイ上に広告付きカバーのデザインページ５０が表示される。このデザインページ５０には、前記スマートフォンカバーに印刷可能な複数のデザインコンテンツのサンプルＡ−１〜４、Ｂ−１〜４、Ｃ−１〜４、Ｄ−１〜４が表示される。
【００２４】
ここで、ユーザ端末１０から、例えば、サンプルＤ−４を選択してクリックすると、デザインコンテンツ表示部２３によって、ユーザ端末１０のディスプレイ上にデザイン詳細ページ６０が表示される。
【００２５】
この時、トップページ４０の会員登録ボタン４４を選択して表示される会員登録画面（図示省略）に所定の情報を入力して会員登録手続きを完了したユーザのユーザ端末１０のディスプレイ上にのみ、デザイン詳細ページ６０が表示される。このデザイン詳細ページ６０には、サンプルＤ−４のデザインが広告スペース６１と共に表示されると共に、そのデザインコンテンツの商品番号、単価、作者プロフィール、コメント、及び決定ボタン６２が表示される。
【００２６】
このデザイン詳細ページ６０上で、ユーザ端末１０から、決定ボタン６２を選択してクリックすると、広告主表示部２４によって、ユーザ端末１０のディスプレイ上に広告主一覧ページ７０が表示される。この広告主一覧ページ７０には、前記スマートフォンカバーに広告の掲載を希望する複数の広告主ａ〜ｚが一覧表示される。
【００２７】
次いで、ユーザ端末１０から、特定の広告主ａを選択してクリックすると、広告主表示部２４によって、ユーザ端末１０のディスプレイ上に前記特定の広告主ａの専用ウェブページ８０が表示される。この専用ウェブページ８０には、この広告主ａの会社名称や商品内容等の広告８１と、前記スマートフォンカバーに掲載される広告イメージ８２と、決定ボタン８３等が表示される。また、この広告主ａが広告掲載数を所定数に限定している場合には、この広告主ａの広告を選択できる残数が在庫数８４として表示される。
【００２８】
次いで、ユーザ端末１０から、この広告主ａの専用ウェブページ８０上で、広告イメージ８２を選択してクリックすると、仕上がり商品確認画面９０がポップアップ表示され、その仕上がり商品確認画面９０には、前記スマートフォンカバーに印刷されるデザインコンテンツＤ−４と広告とが実際に印刷される形態９１で表示されると共に、決定ボタン９２が選択可能に表示される。
【００２９】
次いで、ユーザ端末１０から、専用ウェブページ８０上の決定ボタン８３又は仕上がり商品確認画面９０上の決定ボタン９２を選択してクリックすると、制御部２１によって、ユーザ端末１０のディスプレイ上に注文フォーム１００が表示される。この注文フォーム１００には、販売額算出部２５によって算出された前記スマートフォンカバーの販売額１０１が表示される。この時、販売額算出部２５は、前記デザインコンテンツＤ−４が印刷された前記スマートフォンカバーの実際の制作費から前記広告主ａの広告掲載費を減算して前記スマートフォンカバーの販売額１０１を算出する。
【００３０】
また、この時、注文フォーム１００から、義援金の額を直接入力したり、或いは販売額に対する義援金の割合を入力したりして義援金の寄付を選択することもでき、該義援金の寄付が選択された場合には、販売額算出部２５が、該義援金の額を加算して前記スマートフォンカバーの販売額を算出する。
【００３１】
また、注文フォーム１００には、前記ユーザの会員登録情報に基づいて該ユーザの名前、商品の送り先、電話番号、E-mailアドレス、発送方法、支払い方法等の個人情報１０２が確認のために表示されると共に、注文ボタン１０３が表示される。この時、前記ユーザ端末１０から、注文フォーム１００上において個人情報１０２を変更することもでき、個人情報１０２を確認した上で注文ボタン１０３を選択してクリックすると、前記スマートフォンカバーの注文がインターネット３０を介してサーバ２０に送信され、該注文が成立する。
【００３２】
このように上記した実施の形態によれば、ユーザである購入者側のメリットとして以下の点が挙げられる。
【００３３】
すなわち、購入者は所望なデザインコンテンツを選択することができ、そのデザインコンテンツを所望な広告と組み合わせることによって、スマートフォンカバーを安価に購入することができる。
【００３４】
また、デザインコンテンツと広告の組合せパターンが無数にあり、同一の組合せとなることが稀であるため、購入者に自分固有スマートフォンカバーという満足感を付与することができる。
【００３５】
さらに、一企業の広告を自分のスマートフォンカバーに印刷するという行為によってその企業を支援しているという意識が購入者に芽生える。
【００３６】
さらにまた、購入者自らの意思で義援金を支払うことよって東北地方の震災復興に役立ち、社会貢献を果たすことができる。
一方、広告主側のメリットとして以下の点が挙げられる。
【００３７】
すなわち、購入者は、印刷する広告を選択する過程において、幾つもの広告主の専用ウェブページに広告を積極的に見にいく可能性が高いため、例え最終的に自社の広告が選択されなかったとしても、購入者に自社の商品を認知してもらうことにより、広告効果が上がり、ウェブ広告の掲載価値を高めることができる。
【００３８】
また、最終的に購入者に選択されてスマートフォンカバーに広告が印刷されると、購入者は、自ら選択したデザインコンテンツと広告の組合せによる思い入れがあるため、そのスマートフォンカバーを、例えば、飲み会等で友人に見せたり、或いは、商談のネタにする等、いろいろな場面でいろいろな人達に披露しようとしたり、さらに、ブログやツイッター、フェイスブックなどのソーシャルメディアネットワークに写真付きで紹介したりすることが考えられ、口コミによる宣伝効果を期待することができる。
【００３９】
なお、上記した本発明の実施の形態の説明は、本発明に係るスマートフォンカバー販売システム及びそのプログラムにおける好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００４０】
２０          サーバ
２３          デザインコンテンツ表示部
２４          広告主表示部
２５          販売額算出部
３０          インターネット
８０          専用ウェブページ
【図１】
2013218528.tif 000003
【図２】
2013218528.tif 000004